(57)【要約】【課題】地震が発生した際、キャビネットの収納空間の上部にまで物品を収納している場合であっても、その収納物品が耐震ロック装置に衝突することがない、耐震ロック装置の取付構造を提供する。【解決手段】ウォールキャビネット３は、天板３１、左右一対の側板３２、３２、底板３３、背板３４及び天板３１の前端部の下面に取り付けられた前桟木３５からなる本体部３Ａと、この本体部３Ａの前面開口部を閉塞する開閉可能な２枚の扉３Ｂとから構成されており、側板３２、３２には、収納空間を上下に仕切る２枚の棚板３６、３６を着脱自在に取り付けることができるようになっている。耐震ロック装置１を構成している係合部材１Ｂは、従来と同様に、扉３Ｂにおける裏面上部に取り付けられているが、装置本体１Ａは、前桟木３５の下面に取り付けられており、扉３Ｂを閉じた状態では、前桟木３５が、装置本体１Ａや係合部材１Ｂよりも後方側に張り出している。【選択図】        図２
2007016411.tif 000002
【特許請求の範囲】
【請求項１】
キャビネットの本体部に取り付けられる装置本体と、前記キャビネットの扉に取り付けられる、前記装置本体が係止可能な係合部材とを備え、地震が発生すると、前記装置本体により前記係合部材が係止されるようになっている耐震ロック装置の取付構造であって、
前記装置本体は、前記キャビネットの収納空間内に露出した状態で設置されている取付部材の下面に取り付けられており、
前記扉を閉じた状態で、前記装置本体及び前記係合部材が前記取付部材の後方側に張り出さないようになっていることを特徴とする耐震ロック装置の取付構造。
【請求項２】
前記装置本体及び前記係合部材が前記取付部材の横方向外側に張り出さないようになっている請求項１に記載の耐震ロック装置の取付構造。
【請求項３】
前記取付部材として、前記キャビネットの幅方向に延びる桟木を使用した請求項１または２に記載の耐震ロック装置の取付構造。
【発明の詳細な説明】
【技術分野】
【０００１】
この発明は、地震が発生したときに、キャビネットの扉が開くのを阻止する耐震ロック装置のキャビネットへの取付構造に関する。
【背景技術】
【０００２】
この種の耐震ロック装置は、図６〜図８に示すように、通常、キャビネット２の本体部２Ａに取り付けられる装置本体１Ａと、キャビネット２の扉２Ｂに取り付けられる係合部材１Ｂとから構成されており、装置本体１Ａは、本体部２Ａの天板２１の下面に固定されるのが一般的である。
【０００３】
前記装置本体１Ａは、図９（ａ）、（ｂ）及び図１０（ａ）〜（ｃ）に示すように、ケース本体１２の上端開口部が蓋１３によって閉塞されるケース１１と、ケース本体１２の底面に形成された挿通穴１２ａに出没自在に挿通されるロックピン１４と、このロックピン１４の上端に連設されたフランジ１５と、ケース１１内に収容された３個の鋼球１６とを備えており、３個の鋼球１６は、地震に伴うキャビネット２の揺れによって、フランジ１５上に転動することで、ロックピン１４の上昇を規制するようになっている。
【０００４】
ケース本体１２には、フランジ１５の周囲に３個の鋼球１６をそれぞれ退避させる退避スペースが３箇所設けられており、これらの退避スペース及びフランジ１５を取り囲む仕切体１２ｂが一体成形されている。
【０００５】
ケース本体１２の上端開口部を閉塞する蓋１３の下面には、フランジ１５に対応する部分に、ケース本体１２の各退避スペースに退避している鋼球１６をフランジ１５上に案内する、突条からなるガイド体１３ａが一体成形されており、このガイド体１３ａによって、各鋼球１６のフランジ１５上への進入スペースが完全に区画されている。
【０００６】
フランジ１５の上面は、中心から周縁に向かって下がり傾斜になっており、地震に伴うキャビネット２の揺れによってフランジ１５上に移動した鋼球１６は、地震の揺れがなくなると、ガイド体１３ａに案内されながら、自然にフランジ１５の周縁側に転動し、待機スペースに退避することになる。
【０００７】
前記係合部材１Ｂは、図８に示すように、その先端部に、ケース本体１２の挿通穴１２ａから突出しているロックピン１４に当接する当接部１７が形成されており、この当接部１７は、当接したロックピン１４を押し上げることができるように、扉２Ｂの開閉方向の前後に傾斜した当接面１７ａ、１７ｂを有している。
【０００８】
以上のように構成された耐震ロック装置１は、通常、図１１（ａ）〜（ｃ）に示すように、３個の鋼球１６がケース本体１２の各退避スペースに退避した状態となっているので、ロックピン１４の上端に連設されたフランジ１５の上方に障害物がなく、ロックピン１４が自由に昇降することができる状態になっている。従って、扉２Ｂを開閉する際は、係合部材１Ｂの当接部１７における傾斜した当接面１７ａ、１７ｂがロックピン１４を押し上げながら通過することになるので、ロックピン１４が扉２Ｂの開閉動作の障害になることがなく、扉２Ｂを自由に開閉することができる。
【０００９】
一方、地震の発生に伴ってキャビネット２に揺れが発生すると、図１２（ａ）に示すように、各退避スペースに退避している３個の鋼球１６のうち、少なくとも１個の鋼球１６がフランジ１５上に転動し、ロックピン１４の上昇を阻止するので、同図（ｂ）に示すように、扉２Ｂが開こうとしても、扉２Ｂに取り付けられている係合部材１Ｂの当接部１７がロックピン１４に係止され、扉２Ｂはほとんど開くことがない。ここで、地震に伴うキャビネット２の揺れが停止すると、同図（ｃ）に示すように、フランジ１５上に位置している鋼球１６が、フランジ１５の傾斜した上面を周縁側に転動し、退避スペースに戻ることになるので、図１１（ａ）〜（ｃ）に示すように、扉２Ｂを自由に開閉することができる状態となる。
【００１０】
【特許文献１】特許第３０４８３５７号公報
【発明の開示】
【発明が解決しようとする課題】
【００１１】
ところで、上述したようなキャビネット２に物品を収納する場合、収納空間の有効利用を図るために、図７に示すように、耐震ロック装置１の後方側において、収納空間の上部にまで物品Ｍを収納することが多く、こういった収納状態で地震が発生すると、その揺れによって、同図に二点鎖線で示すように、収納物品Ｍが動いて耐震ロック装置１の装置本体１Ａや係合部材１Ｂに衝突する場合がある。
【００１２】
そして、こうして収納物品Ｍが耐震ロック装置１の装置本体１Ａや係合部材１Ｂに衝突すると、装置本体１Ａや係合部材１Ｂが変形、破損したり、これらの取付位置がずれたりする場合があり、そのような場合は、耐震ロック装置１による扉２Ｂのロック機能が正常に作動しなかったり、地震が収まっても、扉２Ｂのロック状態を解除することができなくなったりするおそれがある。
【００１３】
そこで、この発明の課題は、地震が発生した際、キャビネットの収納空間の上部にまで物品Ｍを収納している場合であっても、その収納物品が耐震ロック装置に衝突することがない、耐震ロック装置の取付構造を提供することにある。
【課題を解決するための手段】
【００１４】
上記の課題を解決するため、請求項１にかかる発明は、キャビネットの本体部に取り付けられる装置本体と、前記キャビネットの扉に取り付けられる、前記装置本体が係止可能な係合部材とを備え、地震が発生すると、前記装置本体により前記係合部材が係止されるようになっている耐震ロック装置の取付構造であって、前記装置本体は、前記キャビネットの収納空間内に露出した状態で設置されている取付部材の下面に取り付けられており、前記扉を閉じた状態で、前記装置本体及び前記係合部材が前記取付部材の後方側に張り出さないようになっていることを特徴とする耐震ロック装置の取付構造を提供するものである。
【００１５】
また、請求項２にかかる発明は、請求項１にかかる発明の耐震ロック装置の取付構造において、前記装置本体及び前記係合部材が前記取付部材の横方向外側に張り出さないようにしたものである。
【００１６】
また、請求項３にかかる発明は、請求項１または２にかかる発明の耐震ロック装置の取付構造において、前記取付部材として、前記キャビネットの幅方向に延びる桟木を使用したものである。
【発明の効果】
【００１７】
以上のように、請求項１にかかる発明の耐震ロック装置の取付構造では、前記扉を閉じた状態で、装置本体及び係合部材が取付部材の後方側に張り出さないようになっているので、キャビネットの収納空間の上部にまで物品を収納している場合に、地震の揺れに伴って、その収納物品が前後方向に動いても、収納物品が耐震ロック装置に衝突することがなく、耐震ロック装置の装置本体や係合部材が変形、破損したり、これらの取付位置がずれたりすることがない。
【００１８】
特に、請求項２にかかる発明の耐震ロック装置の取付構造では、装置本体及び係合部材が取付部材の横方向外側に張り出さないようになっているので、キャビネットの収納空間の上部にまで物品を収納している場合に、地震の揺れに伴って、その収納物品が横方向に動いても、収納物品が耐震ロック装置に衝突することがなく、耐震ロック装置の装置本体や係合部材が変形、破損したり、これらの取付位置がずれたりすることがない。
【００１９】
また、請求項３にかかる発明の耐震ロック装置の取付構造では、取付部材として、キャビネットの幅方向に延びる桟木を使用しているので、耐震ロック装置を取り付けるためだけに別途取付部材を設ける必要がなく、部品点数を削減することができる。
【発明を実施するための最良の形態】
【００２０】
以下、実施の形態について図面を参照して説明する。図１及び図２は、耐震ロック装置を取り付けたウォールキャビネット３を示している。なお、このウォールキャビネット３では、背景技術の欄で説明したものと同一の耐震ロック装置１を使用しているので、耐震ロック装置については同一符号を付してその説明を省略する。
【００２１】
このウォールキャビネット３は、同図に示すように、天板３１、左右一対の側板３２、３２、底板３３、背板３４及び天板３１の前端部の下面に取り付けられた前桟木３５からなる本体部３Ａと、この本体部３Ａの前面開口部を閉塞する開閉可能な２枚の扉３Ｂとから構成されており、側板３２、３２には、収納空間を上下に仕切る２枚の棚板３６、３６を着脱自在に取り付けることができるようになっている。なお、前桟木３５は、天板３１の撓み防止や本体部３Ａの強度維持及び補強のために設けられており、その後端面及び下面がウォールキャビネット３の収納空間内に露出した状態となっている。
【００２２】
耐震ロック装置１を構成している係合部材１Ｂは、従来と同様に、扉３Ｂにおける裏面上部に取り付けられているが、装置本体１Ａは、従来のように、天板３１の下面に取り付けられるのではなく、図１（ａ）、（ｂ）及び図２に示すように、前桟木３５の下面に取り付けられており、扉３Ｂを閉じた状態において、装置本体１Ａを取り付けている前桟木３５は、装置本体１Ａや係合部材１Ｂよりも後方側に張り出している。
【００２３】
以上のように、このウォールキャビネット３では、扉３Ｂを閉じた状態において、耐震ロック装置１の装置本体１Ａを取り付けている前桟木３５が装置本体１Ａや係合部材１Ｂよりも後方側に張り出しているので、上段の棚板３６に載せている収納物品Ｍが収納空間の上部にまで至る高さを有している場合に、地震の揺れに伴って、その収納物品Ｍが前後方向に動いても、収納物品Ｍが耐震ロック装置１に衝突することがない。従って、耐震ロック装置１の装置本体１Ａや係合部材１Ｂが変形、破損したり、これらの取付位置がずれたりすることがなく、耐震ロック装置１が正常に作動することになる。
【００２４】
図３及び図４は、耐震ロック装置を取り付けたベースキャビネット４を示している。なお、このベースキャビネット４についても、背景技術の欄で説明したものと同一の耐震ロック装置１を使用しているので、耐震ロック装置については同一符号を付してその説明を省略する。
【００２５】
このベースキャビネット４は、同図に示すように、上面開口部及び前面開口部を有する本体部４Ａと、この本体部４Ａの前面開口部を開閉する２枚の扉４Ｂ、４Ｂ及び前面開口部の上部領域に差し込まれる引き出し４Ｃとから構成されており、本体部４Ａの上面開口部にはカウンター（図示せず）が固定設置されるようになっている。
【００２６】
本体部４Ａは、左右一対の側板４１、４１と、側板４１、４１を背面側で連結する背板４２と、側板４１、４１の上部を前面側で連結する前桟木４３と、扉４Ｂ及び引き出し４Ｃの前板が当接する戸当り桟４４と、蹴込板４５と、蹴込板４５の上端部に設置された底板４６とを備えており、側板４１、４１には、収納空間を上下に仕切る２枚の棚板４７、４７を着脱自在に取り付けることができるようになっている。なお、戸当り桟４４は、その後端面及び下面がベースキャビネット４の収納空間内に露出した状態となっている。
【００２７】
耐震ロック装置１を構成している係合部材１Ｂは、図４に示すように、扉４Ｂにおける裏面に取り付けられていると共に、装置本体１Ａは、図３及び図４に示すように、戸当り桟４４の下面に取り付けられており、扉４Ｂを閉じた状態において、装置本体１Ａを取り付けている戸当り桟４４は、装置本体１Ａや係合部材１Ｂよりも後方側に張り出している。
【００２８】
以上のように、このベースキャビネット４も、上述したウォールキャビネット３と同様に、扉４Ｂを閉じた状態において、耐震ロック装置１の装置本体１Ａを取り付けている戸当り桟４４が装置本体１Ａや係合部材１Ｂよりも後方側に張り出しているので、図４に示すように、上段の棚板４７に載せている収納物品Ｍが収納空間の上部にまで至る高さを有している場合に、地震の揺れに伴って、その収納物品Ｍが前後方向に動いても、収納物品Ｍが耐震ロック装置１に衝突することがない。従って、耐震ロック装置１の装置本体１Ａや係合部材１Ｂが変形、破損したり、これらの取付位置がずれたりすることがなく、耐震ロック装置１が正常に作動することになる。
【００２９】
なお、上述した各実施形態では、扉３Ｂ、４Ｂを閉じた状態で、耐震ロック装置１の装置本体１Ａを取り付けている前桟木３５や戸当り桟４４が装置本体１Ａや係合部材１Ｂよりも後方側に張り出しているが、これに限定されるものではなく、扉３Ｂ、４Ｂを閉じた状態で、装置本体１Ａ及び係合部材１Ｂが前桟木３５や戸当り桟４４の後方側に張り出さないようになっていればよい。
【００３０】
また、上述したウォールキャビネット３では、天板３１に取り付けた前桟木３５の下面に耐震ロック装置１の装置本体１Ａを取り付けているが、これに限定されるものではなく、図５（ａ）、（ｂ）に示すように、前桟木３５に代えて、両側端面、後端面及び下面が本体部３Ａの収納空間内に露出するように、ある程度の幅、奥行き及び厚みを有する取付部材３７を天板３１に取り付け、この取付部材３７の下面に耐震ロック装置１の装置本体１Ａを取り付けるようにしてもよい。ただし、この場合も、装置本体１Ａや係合部材（図示せず）が取付部材３７の後方側に張り出さないようにしておかなければならないことは言うまでもなく、さらに、装置本体１Ａや係合部材（図示せず）が取付部材３７の横方向外側に張り出さないようにしておくことが望ましい。装置本体１Ａや係合部材（図示せず）が取付部材３７の横方向外側に張り出さないようにしておくと、地震の揺れに伴って、収納物品Ｍが横方向に動いても、収納物品Ｍが耐震ロック装置に衝突することがないからである。
【００３１】
また、耐震ロック装置１の装置本体１Ａを取り付ける前桟木３５、戸当り桟４４及び取付部材３７の材質は、特に限定されるものではなく、パーティクルボード、中質繊維板、合板等の木質材、金属、樹脂等によって形成することが可能である。ただし、収納物品が衝突する可能性があるので、衝撃を吸収することができる素材を使用しておくことが望ましい。
【００３２】
また、前桟木３５、戸当り桟４４及び取付部材３７は、収納スペース等を考慮して適宜設定すればよいが、収納物品Ｍの耐震ロック装置への衝突を防止するという観点からは、少なくとも、１０ｍｍ以上の厚みを確保することが望ましい。
【００３３】
また、本発明は、上述したような耐震ロック装置１に限定されるものではなく、キャビネットの本体部に取り付けられる装置本体と、キャビネットの扉に取り付けられる、装置本体が係止可能な係合部材とを備えている、種々の耐震ロック装置に対して本発明を適用することができることはいうまでもない。
【図面の簡単な説明】
【００３４】
【図１】（ａ）はこの発明にかかる耐震ロック装置の取付構造を採用しているウォールキャビネットの一実施形態を示す平面図、（ｂ）は同上のウォールキャビネットを示す正面図である。
【図２】図１（ｂ）のＸ−Ｘ線に沿った断面図である。
【図３】この発明にかかる耐震ロック装置の取付構造を採用しているベースキャビネットの一実施形態を示す正面図である。
【図４】図３のＹ−Ｙ線に沿った断面図である。
【図５】（ａ）は同上のウォールキャビネットの変形例を示す平面図、（ｂ）は同上のウォールキャビネットを示す正面図である。
【図６】（ａ）は従来の耐震ロック装置の取付構造を採用しているウォールキャビネットを示す平面図、（ｂ）は同上のウォールキャビネットを示す正面図である。
【図７】同上のウォールキャビネットを示す縦断面図である。
【図８】同上の耐震ロック装置の取付状態を示す側面図である。
【図９】（ａ）は同上の耐震ロック装置における装置本体を示す底面図、（ｂ）は同上の装置本体を示す正面図である。
【図１０】ａ）は同上の装置本体におけるケースの蓋を取り外した状態を示す平面図、（ｂ）は同上の装置本体を示す断面図、（ｃ）は同上の蓋の下面を示す平面図である。
【図１１】（ａ）〜（ｃ）は同上の耐震ロック装置の通常時の動作を示す動作説明図である。
【図１２】（ａ）〜（ｃ）は同上の耐震ロック装置の地震発生時の動作を示す動作説明図である。
【符号の説明】
【００３５】
１  耐震ロック装置
１Ａ  装置本体
１Ｂ  係合部材
３  ウォールキャビネット
３Ａ  本体部
３Ｂ  扉
４  ベースキャビネット
４Ａ  本体部
４Ｂ  扉
４Ｃ  引き出し
３１  天板
３２  側板
３３  底板
３４  背板
３５  前桟木
３６  棚板
３７  取付部材
４１  側板
４２  背板
４３  前桟木
４４  戸当り桟
４５  蹴込板
４６  底板
４７  棚板
Ｍ  収納物品
【図１】
2007016411.tif 000003
【図２】
2007016411.tif 000004
【図３】
2007016411.tif 000005
【図４】
2007016411.tif 000006
【図５】
2007016411.tif 000007
【図６】
2007016411.tif 000008
【図７】
2007016411.tif 000009
【図８】
2007016411.tif 000010
【図９】
2007016411.tif 000011
【図１０】
2007016411.tif 000012
【図１１】
2007016411.tif 000013
【図１２】
2007016411.tif 000014